(57)【要約】【課題】サーバ上のコンテンツをクライアント端末で閲覧する際に、簡略な操作手順によってコンテンツを閲覧することを可能とする、情報表示システム及び情報表示装置並びにそのプログラムを提供する。【解決手段】サーバは、或るコンテンツに関連するコンテンツの在り処を示す複数のＵＲＬのリストからなる履歴情報リストを前記或るコンテンツと同時に配信し、前記クライアント端末は、前記履歴情報リストを取得して、前記履歴情報リストに記載のＵＲＬを順にブラウザ装置の表示履歴リストへ追加し、前記クライアント端末が前記サーバから１つのコンテンツとその履歴情報リストとを取得した際に、該履歴情報リストに記載のＵＲＬを順に前記ブラウザ装置の表示履歴リストへ追加することにより、前記ブラウザ装置の履歴移動操作のみで該履歴情報リストに指定された順序でコンテンツの順次閲覧を可能とするようにした。【選択図】      図１
2004280354.tif 000002
【特許請求の範囲】
【請求項１】
ＵＲＬ（Ｕｎｉｆｏｒｍ  Ｒｅｓｏｕｒｃｅ  Ｌｏｃａｔｏｒ）を指定することによって配信可能に構成されている複数のコンテンツを配信可能な複数のサーバと、前記サーバから配信されるコンテンツを取得・表示可能なブラウザ装置を備えるクライアント端末とが、有線または無線によるネットワークを介して相互に接続される情報表示システムであって、
前記サーバは、或るコンテンツに関連するコンテンツの在り処を示す複数のＵＲＬのリストからなる履歴情報リストを前記或るコンテンツと同時に配信する履歴情報リスト配信手段を備え、前記クライアント端末は、前記履歴情報リストを取得する履歴情報リスト取得手段と、前記履歴情報リストに記載のＵＲＬを順に前記ブラウザ装置の表示履歴リストへ追加する履歴情報リスト追加手段を備え、
前記クライアント端末が前記サーバから１つのコンテンツとその履歴情報リストとを取得し、該履歴情報リストに記載のＵＲＬを順に前記ブラウザ装置の表示履歴リストへ追加することにより、前記ブラウザ装置の履歴移動操作のみで該履歴情報リストに指定された順序でコンテンツの順次閲覧を可能とする、ことを特徴とする情報表示システム。
【請求項２】
ＵＲＬを指定することによって配信可能に構成されている複数のコンテンツを配信可能な複数のサーバと、前記サーバから配信されるコンテンツを取得・表示可能なブラウザ装置を備えるクライアント端末とが、有線または無線によるネットワークを介して相互に接続される情報表示システムであって、
前記サーバは、或るコンテンツ中に含まれるフォーカスを設定可能なテキストやイメージ等の選択可能要素に対応付けられたコンテンツの在り処を示す複数のＵＲＬのリストからなる履歴情報リストを前記或るコンテンツの前記選択可能要素と関連づけて前記或るコンテンツ中に埋め込む第２の履歴情報リスト配信手段を備え、前記クライアント端末は、前記履歴情報リストを抽出する履歴情報リスト抽出手段と、前記履歴情報リストに記載のＵＲＬを順に前記ブラウザ装置の表示履歴リストへ追加する履歴情報リスト追加手段を備え、
前記クライアント端末が前記サーバから１つのコンテンツを受信し該コンテンツの選択可能要素が選択された場合に該コンテンツ中に埋め込まれている履歴情報リストを抽出し、該履歴情報リストに記載のＵＲＬを順に前記ブラウザ装置の表示履歴リストへ追加することにより、前記ブラウザ装置の履歴移動操作のみで該履歴情報リストに指定された順序でコンテンツの順次閲覧を可能とする、ことを特徴とする情報表示システム。
【請求項３】
有線または無線による通信手段と、サーバから配信されるコンテンツを取得・表示可能なブラウザ装置とを備える情報表示装置であって、
或るコンテンツと同時に配信された前記或るコンテンツに関連するコンテンツの在り処を示す複数のＵＲＬのリストからなる履歴情報リストを取得する履歴情報リスト取得手段と、前記履歴情報リストに記載のＵＲＬを順に前記ブラウザ装置の表示履歴リストへ追加する履歴情報リスト追加手段とを備え、
前記サーバから前記通信手段を介して１つのコンテンツとその履歴情報リストとを取得した場合に、該履歴情報リストに記載のＵＲＬを順に前記ブラウザ装置の表示履歴リストへ追加することにより、前記ブラウザ装置の履歴移動操作のみで該履歴情報リストに指定された順序でコンテンツの順次閲覧を可能とする、ことを特徴とする情報表示装置。
【請求項４】
前記情報表示装置は、更に、前記履歴情報リストを複数個記憶する履歴情報リスト記憶手段を備え、前記情報表示装置は、更に、前記履歴情報リスト取得手段によって取得した履歴情報リストを前記履歴情報リスト記憶手段に記憶させる記憶手段を備え、前記履歴情報リスト追加手段は、前記履歴情報リスト記憶手段から履歴情報リストを読み出して前記ブラウザ装置の表示履歴リストへ追加する、ことを特徴とする請求項３に記載の情報表示装置。
【請求項５】
前記情報表示装置は、更に、ユーザのコンテンツ閲覧操作により前記ブラウザ装置に蓄積された表示履歴リストを読み出す読出手段と、該表示履歴リストに存在するコンテンツの閲覧順序に対応した複数のＵＲＬのリストからなる第２の履歴情報リストを生成する生成手段とを備え、前記履歴情報リスト記憶手段は前記第２の履歴情報リストを記憶し、前記履歴情報リスト追加手段は、前記履歴情報リスト記憶手段から履歴情報リスト又は第２の履歴情報リストを読み出して前記ブラウザ装置の表示履歴リストへ追加する、ことを特徴とする請求項４に記載の情報表示装置。
【請求項６】
有線または無線による通信手段と、サーバから配信されるコンテンツを取得・表示可能なブラウザ装置とを備える情報表示装置であって、
或るコンテンツ中に含まれるフォーカスを設定可能なテキストやイメージ等の選択可能要素がユーザ操作により選択された際に、前記選択可能要素に対応付けられたコンテンツの在り処を示す複数のＵＲＬのリストからなる履歴情報リストを前記或るコンテンツから抽出する履歴情報リスト抽出手段と、前記履歴情報リストに記載のＵＲＬを順に前記ブラウザ装置の表示履歴リストへ追加する履歴情報リスト追加手段とを備え、
前記サーバから前記通信手段を介して１つのコンテンツを受信し該コンテンツの選択可能要素が選択された場合に該コンテンツ中に埋め込まれている履歴情報リストを抽出し、該履歴情報リストに記載のＵＲＬを順に前記ブラウザ装置の表示履歴リストへ追加することにより、前記ブラウザ装置の履歴移動操作のみで該履歴情報リストに指定された順序でコンテンツの順次閲覧を可能とする、ことを特徴とする情報表示装置。
【請求項７】
前記情報表示装置は、更に、前記履歴情報リストを複数個記憶する履歴情報リスト記憶手段を備え、前記情報表示装置は、更に、前記履歴情報リスト抽出手段によって抽出した履歴情報リストを前記履歴情報リスト記憶手段に記憶させる記憶手段を備え、前記履歴情報リスト追加手段は、前記履歴情報リスト記憶手段から履歴情報リストを読み出して前記ブラウザ装置の表示履歴リストへ追加する、ことを特徴とする請求項６に記載の情報表示装置。
【請求項８】
前記情報表示装置は、更に、ユーザのコンテンツ閲覧操作により前記ブラウザ装置に蓄積された表示履歴リストを読み出す読出手段と、該表示履歴リストに存在するコンテンツの閲覧順序に対応した複数のＵＲＬのリストからなる第２の履歴情報リストを生成する生成手段とを備え、前記履歴情報リスト記憶手段は前記第２の履歴情報リストを記憶し、前記履歴情報リスト追加手段は、前記履歴情報リスト記憶手段から履歴情報リスト又は第２の履歴情報リストを読み出して前記ブラウザ装置の表示履歴リストへ追加する、ことを特徴とする請求項７に記載の情報表示装置。
【請求項９】
有線または無線による通信手段と、サーバから配信されるコンテンツを取得・表示可能なブラウザ装置とを備える情報表示装置のコンピュータに、
或るコンテンツと同時に配信された前記或るコンテンツに関連するコンテンツの在り処を示す複数のＵＲＬのリストからなる履歴情報リストを取得する履歴情報リスト取得処理と、前記履歴情報リストに記載のＵＲＬを順に前記ブラウザ装置の表示履歴リストへ追加する履歴情報リスト追加処理と、を実行させ、
前記サーバから前記通信手段を介して１つのコンテンツとその履歴情報リストとを取得した場合に、該履歴情報リストに記載のＵＲＬを順に前記ブラウザ装置の表示履歴リストへ追加する処理を実行させることにより、前記ブラウザ装置の履歴移動操作のみで該履歴情報リストに指定された順序でコンテンツの順次閲覧を可能とさせる、ことを特徴とするプログラム。
【請求項１０】
前記情報表示装置は、更に、前記履歴情報リストを複数個記憶する履歴情報リスト記憶手段を備え、前記プログラムは、更に、前記履歴情報リスト取得処理によって取得した履歴情報リストを前記履歴情報リスト記憶手段に記憶させる記憶処理を実行させ、前記履歴情報リスト追加処理においては、前記履歴情報リスト記憶手段から履歴情報リストを読み出して前記ブラウザ装置の表示履歴リストへ追加する処理を実行させる、ことを特徴とする請求項９に記載のプログラム。
【請求項１１】
前記プログラムは、更に、ユーザのコンテンツ閲覧操作により前記ブラウザ装置に蓄積された表示履歴リストを読み出す読出処理と、該表示履歴リストに存在するコンテンツの閲覧順序に対応した複数のＵＲＬのリストからなる第２の履歴情報リストを生成する生成処理と、前記第２の履歴情報リストを前記履歴情報リスト記憶手段に記憶させる記憶処理とを実行させ、前記履歴情報リスト追加処理においては、前記履歴情報リスト記憶手段から履歴情報リスト又は第２の履歴情報リストを読み出して前記ブラウザ装置の表示履歴リストへ追加する処理を実行させる、ことを特徴とする請求項１０に記載のプログラム。
【請求項１２】
有線または無線による通信手段と、サーバから配信されるコンテンツを取得・表示可能なブラウザ装置とを備える情報表示装置のコンピュータに、
或るコンテンツ中に含まれるフォーカスを設定可能なテキストやイメージ等の選択可能要素がユーザ操作により選択された際に、前記選択可能要素に対応付けられたコンテンツの在り処を示す複数のＵＲＬのリストからなる履歴情報リストを前記或るコンテンツから抽出する履歴情報リスト抽出処理と、前記履歴情報リストに記載のＵＲＬを順に前記ブラウザ装置の表示履歴リストへ追加する履歴情報リスト追加処理と、を実行させ、
前記サーバから前記通信手段を介して１つのコンテンツを受信し該コンテンツの選択可能要素が選択された場合に該コンテンツ中に埋め込まれている履歴情報リストを抽出し、該履歴情報リストに記載のＵＲＬを順に前記ブラウザ装置の表示履歴リストへ追加する処理を実行させることにより、前記ブラウザ装置の履歴移動操作のみで該履歴情報リストに指定された順序でコンテンツの順次閲覧を可能とさせる、ことを特徴とするプログラム。
【請求項１３】
前記情報表示装置は、更に、前記履歴情報リストを複数個記憶する履歴情報リスト記憶手段を備え、前記プログラムは、更に、前記履歴情報リスト取得処理によって取得した履歴情報リストを前記履歴情報リスト記憶手段に記憶させる記憶処理を実行させ、前記履歴情報リスト追加処理においては、前記履歴情報リスト記憶手段から履歴情報リストを読み出して前記ブラウザ装置の表示履歴リストへ追加する処理を実行させる、ことを特徴とする請求項１２に記載のプログラム。
【請求項１４】
前記プログラムは、更に、ユーザのコンテンツ閲覧操作により前記ブラウザ装置に蓄積された表示履歴リストを読み出す読出処理と、該表示履歴リストに存在するコンテンツの閲覧順序に対応した複数のＵＲＬのリストからなる第２の履歴情報リストを生成する生成処理と、前記第２の履歴情報リストを前記履歴情報リスト記憶手段に記憶させる記憶処理とを実行させ、前記履歴情報リスト追加処理においては、前記履歴情報リスト記憶手段から履歴情報リスト又は第２の履歴情報リストを読み出して前記ブラウザ装置の表示履歴リストへ追加する処理を実行させる、ことを特徴とする請求項１３に記載のプログラム。
【発明の詳細な説明】
【０００１】
【発明の属する技術分野】
本発明は、情報表示システム及び情報表示装置並びにそのプログラムに関し、特に、サーバ上のコンテンツをクライアント端末で閲覧する際に、簡略な操作手順によってコンテンツを閲覧することを可能とする、情報表示システム及び情報表示装置並びにそのプログラムに関する。
【０００２】
【従来の技術】
パーソナルコンピュータ（Ｐｅｒｓｏｎａｌ  Ｃｏｍｐｕｔｅｒ  ）や携帯電話には、ＨＴＭＬ（Ｈｙｐｅｒ  Ｔｅｘｔ  Ｍａｒｋｕｐ  Ｌａｎｇｕａｇｅ）等で記述されたコンテンツ（ｃｏｎｔｅｎｔｓ）を、ＷＷＷ（Ｗｏｒｌｄ  Ｗｉｄｅ  Ｗｅｂ）サーバ等のサーバコンピュータから取得して表示することが可能な、ブラウザ（ｂｒｏｗｓｅｒ  ）が搭載されている。
【０００３】
ＨＴＭＬ等で記述されたコンテンツには、ハイパーリンク（Ｈｙｐｅｒ  Ｌｉｎｋ）と呼ばれる、次に表示するコンテンツのＵＲＬ（Ｕｎｉｆｏｒｍ  Ｒｅｓｏｕｒｃｅ  Ｌｏｃａｔｏｒ）を指定した記述が含まれており、ブラウザでコンテンツを表示した際にハイパーリンクが設定された個所を選択すると、指定されたＵＲＬのコンテンツを表示することができる。
【０００４】
このようにして、ブラウザで複数のコンテンツを順次表示させていくと、そのコンテンツの表示順序がブラウザに履歴として記憶され、ブラウザに備えられた履歴バック方向移動機能及び、履歴フォワード方向移動機能を操作するだけで、履歴を辿って、履歴の順にコンテンツを再表示することができる。
【０００５】
例えば、コンテンツ１、コンテンツ２、コンテンツ３、コンテンツ４の順にコンテンツをブラウザに表示させ、現在画面上にコンテンツ４が表示されているとする。ここから、ブラウザの履歴バック方向移動機能を一回使用すると、コンテンツ３が表示される。さらにもう一度、履歴バック方向移動機能を使用すると、コンテンツ２が表示される。この状態から、ブラウザの履歴フォワード方向移動機能を一回使用すると、再度コンテンツ３が表示される。
【０００６】
また、ブラウザには、ブックマーク（ｂｏｏｋ  ｍａｒｋ  ）機能と呼ばれる、ユーザの指定によりコンテンツのＵＲＬを別途記憶しておき、その記憶されたＵＲＬのリストから希望のコンテンツＵＲＬを選択することで、そのコンテンツを表示することができる機能が備わっている。
【０００７】
そして、一連のコンテンツを簡易な操作で表示させるために、コンテンツのＵＲＬの列と、それらを再生する順序や再生日時、再生時間間隔を記述したリストを準備し、そのリストに指定された時間間隔または日時に従って外部モジュールからブラウザに対してコンテンツの表示要求を行うことで、ユーザの操作なしに、ブラウザでのコンテンツの連続自動表示を可能としているものもある（例えば、特許文献１参照。）。
【０００８】
また、既に検索・閲覧したホームページ（コンテンツ）の中から容易に希望のホームページに戻ることができるようにするために、ホームページを検索・閲覧するごとにそのホームページのＵＲＬを自動的に記憶し、元のホームページに戻るときには”履歴”項目を選択することによりＵＲＬの履歴をメニュー形式で表示し、そのメニュー表示から希望のホームページを選択すれば、希望の元のホームページに接続して（を呼び出して）見ることができるようにしているものもある（例えば、特許文献２参照。）。
【０００９】
【特許文献１】
特開２００２−１９６９７０号公報（第４−１２頁、図１−図５）
【特許文献２】
特開平１１−１４３８９１号公報（第４−６頁、図１−図９）
【００１０】
【発明が解決しようとする課題】
上述した従来のコンテンツの閲覧・表示方式は、閲覧・表示を行わせる操作が非常に煩雑である、という欠点を有している。
【００１１】
例えば、ニュースコンテンツの場合、最初のページに「社会」、「スポーツ」、「天気」といったジャンルが並び、かつそれぞれのジャンルに対してハイパーリンクが設定され、それぞれを選択すると、それぞれのジャンルのニュース一覧が同様にハイパーリンクが設定された状態で記述され、さらにそれらの一覧の中から一つのハイパーリンクを選択することで、ようやくある一つの記事の詳細が閲覧できるといった形式になっていることが多い。従って、全ジャンルのニュース記事を全部閲覧しようとする場合には、選択操作と履歴のバック方向移動操作を多数繰り返す必要がある。
【００１２】
また、特に携帯電話に搭載されるブラウザ装置においては、コンテンツの閲覧操作が一層煩雑になってしまう、という欠点を有している。
【００１３】
その理由であるが、携帯電話向けコンテンツは一般的に、携帯電話の表示領域の小ささに合わせて１ページあたりの量を減らし、複数のページに分割していることが多い。従って、それぞれのページ同士が深い階層構造になっていることが多く、目的のページにたどり着くまでに多数の操作を行う必要があるものとなっている。携帯電話においては、パーソナルコンピュータと異なりマウスなどのポインティングデバイスがないため、これらの操作は全ていくつかのボタンのみで行わねばならず、さらに操作が煩雑化してしまうものとなっている。
【００１４】
本発明は上述した事情を改善するために成されたものであり、従って本発明の目的は、サーバ上のコンテンツをクライアント端末で閲覧する際に、簡略な操作手順によってコンテンツを閲覧することを可能とする、情報表示システム及び情報表示装置並びにそのプログラムを提供することにある。
【００１５】
【課題を解決するための手段】
本発明の情報表示システムは、ＵＲＬ（Ｕｎｉｆｏｒｍ  Ｒｅｓｏｕｒｃｅ  Ｌｏｃａｔｏｒ）を指定することによって配信可能に構成されている複数のコンテンツを配信可能な複数のサーバと、前記サーバから配信されるコンテンツを取得・表示可能なブラウザ装置を備えるクライアント端末とが、有線または無線によるネットワークを介して相互に接続される情報表示システムであって、
前記サーバは、或るコンテンツに関連するコンテンツの在り処を示す複数のＵＲＬのリストからなる履歴情報リストを前記或るコンテンツと同時に配信する履歴情報リスト配信手段を備え、前記クライアント端末は、前記履歴情報リストを取得する履歴情報リスト取得手段と、前記履歴情報リストに記載のＵＲＬを順に前記ブラウザ装置の表示履歴リストへ追加する履歴情報リスト追加手段を備え、
前記クライアント端末が前記サーバから１つのコンテンツとその履歴情報リストとを取得し、該履歴情報リストに記載のＵＲＬを順に前記ブラウザ装置の表示履歴リストへ追加することにより、前記ブラウザ装置の履歴移動操作のみで該履歴情報リストに指定された順序でコンテンツの順次閲覧を可能とする、ことを特徴とする。
【００１６】
また、ＵＲＬを指定することによって配信可能に構成されている複数のコンテンツを配信可能な複数のサーバと、前記サーバから配信されるコンテンツを取得・表示可能なブラウザ装置を備えるクライアント端末とが、有線または無線によるネットワークを介して相互に接続される情報表示システムであって、
前記サーバは、或るコンテンツ中に含まれるフォーカスを設定可能なテキストやイメージ等の選択可能要素に対応付けられたコンテンツの在り処を示す複数のＵＲＬのリストからなる履歴情報リストを前記或るコンテンツの前記選択可能要素と関連づけて前記或るコンテンツ中に埋め込む第２の履歴情報リスト配信手段を備え、前記クライアント端末は、前記履歴情報リストを抽出する履歴情報リスト抽出手段と、前記履歴情報リストに記載のＵＲＬを順に前記ブラウザ装置の表示履歴リストへ追加する履歴情報リスト追加手段を備え、
前記クライアント端末が前記サーバから１つのコンテンツを受信し該コンテンツの選択可能要素が選択された場合に該コンテンツ中に埋め込まれている履歴情報リストを抽出し、該履歴情報リストに記載のＵＲＬを順に前記ブラウザ装置の表示履歴リストへ追加することにより、前記ブラウザ装置の履歴移動操作のみで該履歴情報リストに指定された順序でコンテンツの順次閲覧を可能とする、ことを特徴とする。
【００１７】
本発明の情報表示装置は、有線または無線による通信手段と、サーバから配信されるコンテンツを取得・表示可能なブラウザ装置とを備える情報表示装置であって、
或るコンテンツと同時に配信された前記或るコンテンツに関連するコンテンツの在り処を示す複数のＵＲＬのリストからなる履歴情報リストを取得する履歴情報リスト取得手段と、前記履歴情報リストに記載のＵＲＬを順に前記ブラウザ装置の表示履歴リストへ追加する履歴情報リスト追加手段とを備え、
前記サーバから前記通信手段を介して１つのコンテンツとその履歴情報リストとを取得した場合に、該履歴情報リストに記載のＵＲＬを順に前記ブラウザ装置の表示履歴リストへ追加することにより、前記ブラウザ装置の履歴移動操作のみで該履歴情報リストに指定された順序でコンテンツの順次閲覧を可能とする、ことを特徴とする。
【００１８】
また、前記情報表示装置は、更に、前記履歴情報リストを複数個記憶する履歴情報リスト記憶手段を備え、前記情報表示装置は、更に、前記履歴情報リスト取得手段によって取得した履歴情報リストを前記履歴情報リスト記憶手段に記憶させる記憶手段を備え、前記履歴情報リスト追加手段は、前記履歴情報リスト記憶手段から履歴情報リストを読み出して前記ブラウザ装置の表示履歴リストへ追加する、ことを特徴とする。
【００１９】
さらに、前記情報表示装置は、更に、ユーザのコンテンツ閲覧操作により前記ブラウザ装置に蓄積された表示履歴リストを読み出す読出手段と、該表示履歴リストに存在するコンテンツの閲覧順序に対応した複数のＵＲＬのリストからなる第２の履歴情報リストを生成する生成手段とを備え、前記履歴情報リスト記憶手段は前記第２の履歴情報リストを記憶し、前記履歴情報リスト追加手段は、前記履歴情報リスト記憶手段から履歴情報リスト又は第２の履歴情報リストを読み出して前記ブラウザ装置の表示履歴リストへ追加する、ことを特徴とする。
【００２０】
また、有線または無線による通信手段と、サーバから配信されるコンテンツを取得・表示可能なブラウザ装置とを備える情報表示装置であって、
或るコンテンツ中に含まれるフォーカスを設定可能なテキストやイメージ等の選択可能要素がユーザ操作により選択された際に、前記選択可能要素に対応付けられたコンテンツの在り処を示す複数のＵＲＬのリストからなる履歴情報リストを前記或るコンテンツから抽出する履歴情報リスト抽出手段と、前記履歴情報リストに記載のＵＲＬを順に前記ブラウザ装置の表示履歴リストへ追加する履歴情報リスト追加手段とを備え、
前記サーバから前記通信手段を介して１つのコンテンツを受信し該コンテンツの選択可能要素が選択された場合に該コンテンツ中に埋め込まれている履歴情報リストを抽出し、該履歴情報リストに記載のＵＲＬを順に前記ブラウザ装置の表示履歴リストへ追加することにより、前記ブラウザ装置の履歴移動操作のみで該履歴情報リストに指定された順序でコンテンツの順次閲覧を可能とする、ことを特徴とする。
【００２１】
さらに、前記情報表示装置は、更に、前記履歴情報リストを複数個記憶する履歴情報リスト記憶手段を備え、前記情報表示装置は、更に、前記履歴情報リスト抽出手段によって抽出した履歴情報リストを前記履歴情報リスト記憶手段に記憶させる記憶手段を備え、前記履歴情報リスト追加手段は、前記履歴情報リスト記憶手段から履歴情報リストを読み出して前記ブラウザ装置の表示履歴リストへ追加する、ことを特徴とする。
【００２２】
また、前記情報表示装置は、更に、ユーザのコンテンツ閲覧操作により前記ブラウザ装置に蓄積された表示履歴リストを読み出す読出手段と、該表示履歴リストに存在するコンテンツの閲覧順序に対応した複数のＵＲＬのリストからなる第２の履歴情報リストを生成する生成手段とを備え、前記履歴情報リスト記憶手段は前記第２の履歴情報リストを記憶し、前記履歴情報リスト追加手段は、前記履歴情報リスト記憶手段から履歴情報リスト又は第２の履歴情報リストを読み出して前記ブラウザ装置の表示履歴リストへ追加する、ことを特徴とする。
【００２３】
本発明のプログラムは、有線または無線による通信手段と、サーバから配信されるコンテンツを取得・表示可能なブラウザ装置とを備える情報表示装置のコンピュータに、
或るコンテンツと同時に配信された前記或るコンテンツに関連するコンテンツの在り処を示す複数のＵＲＬのリストからなる履歴情報リストを取得する履歴情報リスト取得処理と、前記履歴情報リストに記載のＵＲＬを順に前記ブラウザ装置の表示履歴リストへ追加する履歴情報リスト追加処理と、を実行させ、
前記サーバから前記通信手段を介して１つのコンテンツとその履歴情報リストとを取得した場合に、該履歴情報リストに記載のＵＲＬを順に前記ブラウザ装置の表示履歴リストへ追加する処理を実行させることにより、前記ブラウザ装置の履歴移動操作のみで該履歴情報リストに指定された順序でコンテンツの順次閲覧を可能とさせる、ことを特徴とする。
【００２４】
また、前記情報表示装置は、更に、前記履歴情報リストを複数個記憶する履歴情報リスト記憶手段を備え、前記プログラムは、更に、前記履歴情報リスト取得処理によって取得した履歴情報リストを前記履歴情報リスト記憶手段に記憶させる記憶処理を実行させ、前記履歴情報リスト追加処理においては、前記履歴情報リスト記憶手段から履歴情報リストを読み出して前記ブラウザ装置の表示履歴リストへ追加する処理を実行させる、ことを特徴とする。
【００２５】
さらに、前記プログラムは、更に、ユーザのコンテンツ閲覧操作により前記ブラウザ装置に蓄積された表示履歴リストを読み出す読出処理と、該表示履歴リストに存在するコンテンツの閲覧順序に対応した複数のＵＲＬのリストからなる第２の履歴情報リストを生成する生成処理と、前記第２の履歴情報リストを前記履歴情報リスト記憶手段に記憶させる記憶処理とを実行させ、前記履歴情報リスト追加処理においては、前記履歴情報リスト記憶手段から履歴情報リスト又は第２の履歴情報リストを読み出して前記ブラウザ装置の表示履歴リストへ追加する処理を実行させる、ことを特徴とする。
【００２６】
また、有線または無線による通信手段と、サーバから配信されるコンテンツを取得・表示可能なブラウザ装置とを備える情報表示装置のコンピュータに、
或るコンテンツ中に含まれるフォーカスを設定可能なテキストやイメージ等の選択可能要素がユーザ操作により選択された際に、前記選択可能要素に対応付けられたコンテンツの在り処を示す複数のＵＲＬのリストからなる履歴情報リストを前記或るコンテンツから抽出する履歴情報リスト抽出処理と、前記履歴情報リストに記載のＵＲＬを順に前記ブラウザ装置の表示履歴リストへ追加する履歴情報リスト追加処理と、を実行させ、
前記サーバから前記通信手段を介して１つのコンテンツを受信し該コンテンツの選択可能要素が選択された場合に該コンテンツ中に埋め込まれている履歴情報リストを抽出し、該履歴情報リストに記載のＵＲＬを順に前記ブラウザ装置の表示履歴リストへ追加する処理を実行させることにより、前記ブラウザ装置の履歴移動操作のみで該履歴情報リストに指定された順序でコンテンツの順次閲覧を可能とさせる、ことを特徴とする。
【００２７】
さらに、前記情報表示装置は、更に、前記履歴情報リストを複数個記憶する履歴情報リスト記憶手段を備え、前記プログラムは、更に、前記履歴情報リスト取得処理によって取得した履歴情報リストを前記履歴情報リスト記憶手段に記憶させる記憶処理を実行させ、前記履歴情報リスト追加処理においては、前記履歴情報リスト記憶手段から履歴情報リストを読み出して前記ブラウザ装置の表示履歴リストへ追加する処理を実行させる、ことを特徴とする。
【００２８】
また、前記プログラムは、更に、ユーザのコンテンツ閲覧操作により前記ブラウザ装置に蓄積された表示履歴リストを読み出す読出処理と、該表示履歴リストに存在するコンテンツの閲覧順序に対応した複数のＵＲＬのリストからなる第２の履歴情報リストを生成する生成処理と、前記第２の履歴情報リストを前記履歴情報リスト記憶手段に記憶させる記憶処理とを実行させ、前記履歴情報リスト追加処理においては、前記履歴情報リスト記憶手段から履歴情報リスト又は第２の履歴情報リストを読み出して前記ブラウザ装置の表示履歴リストへ追加する処理を実行させる、ことを特徴とする。
【００２９】
【発明の実施の形態】
次に、本発明の実施の形態について図面を参照して説明する。
【００３０】
図１は、本発明の情報表示システムの一実施形態を示すブロック図である。
【００３１】
図１に示す本実施の形態は、ＨＴＭＬ（Ｈｙｐｅｒ  Ｔｅｘｔ  Ｍａｒｋｕｐ  Ｌａｎｇｕａｇｅ）等で記述された複数のコンテンツ（ｃｏｎｔｅｎｔｓ）を提供する複数のコンテンツサーバ１００（１００−１〜１００−ｎ）と、コンテンツサーバ１００からコンテンツを取得して表示する複数のクライアント端末２００と、から構成され、コンテンツサーバ１００とクライアント端末２００とは、有線または無線による通信ネットワーク３００により相互に接続されている。
【００３２】
コンテンツサーバ１００は、ＷＷＷ（Ｗｏｒｌｄ  Ｗｉｄｅ  Ｗｅｂ）サーバ等のサーバコンピュータによって構成され、ＨＴＭＬ等で記述された複数のコンテンツを提供可能に構成されている。各コンテンツはそのＵＲＬ（Ｕｎｉｆｏｒｍ  Ｒｅｓｏｕｒｃｅ  Ｌｏｃａｔｏｒ）を指定することによって配信可能に構成されており、かつ、コンテンツサーバ１００からコンテンツを配信する際には、該コンテンツに関連するコンテンツの在り処を示すＵＲＬが複数個記述されたリストであるところの履歴情報リストを配信可能になっている。
【００３３】
ここで、履歴情報リストの配信方法としては、コンテンツのヘッダ部分に追加して送信する方法を採ることが可能である。或いは又、コンテンツの送受信に使用されるプロトコル、例えばＨＴＴＰ（Ｈｙｐｅｒ  Ｔｅｘｔ  Ｔｒａｎｓｆｅｒ  Ｐｒｏｔｏｃｏｌ）、のヘッダ部分に追加して送信することが可能である。
【００３４】
クライアント端末２００は、パーソナルコンピュータや携帯電話など情報処理機能を備える端末装置であり、コンテンツサーバ１００からコンテンツの配信を受けて該コンテンツを表示するブラウザ（ｂｒｏｗｓｅｒ  ）装置２１０と、コンテンツサーバ１００から配信される履歴情報リストを取得する履歴情報取得部２２０と、取得した履歴情報リストに記載のＵＲＬのリストをブラウザ装置２１０に追加設定する履歴情報追加部２３０と、から構成されている。
【００３５】
そして、ブラウザ装置２１０は、ブラウザ装置２１０が表示したコンテンツのＵＲＬの履歴を表示順序の順に表示履歴リストとして保存・管理する履歴情報管理部２１１と、表示履歴リストに保存された履歴を前方に移動させる履歴フォワード方向移動機能、及び表示履歴リストに保存された履歴を後方に移動させる履歴バック方向移動機能とを有する履歴移動部２１２と、コンテンツをクライアント端末２００の備える表示装置に表示させるコンテンツ表示部２１３と、から構成されている。
【００３６】
次に、図２を参照して、本実施形態の動作について詳細に説明する。
【００３７】
図２は、図１の実施形態の動作を説明するフローチャートである。
【００３８】
クライアント端末２００上のブラウザ装置２１０を使用して、ユーザがコンテンツを表示させようとした場合に（図２のＳ１）、同時に、コンテンツサーバ１００から履歴情報リストが送信されてくる。この履歴情報リストには、ブラウザ装置２１０の表示履歴リストに追加したい順番に、コンテンツのありかを示すＵＲＬが複数個記述されている。
【００３９】
ブラウザ装置２１０は、受信したコンテンツをコンテンツ表示部２１３を使用してクライアント端末２００上に表示する（図２のＳ２）。同時に、履歴情報取得部２２０は送信された履歴情報リストを取得する（図２のＳ３）。その後、履歴情報追加部２３０は受信した履歴情報リストを解析し、履歴情報リストに記述されている順にＵＲＬを、ブラウザ装置２１０の履歴情報管理部２１１の表示履歴リストのフォワード方向に登録してしていく（図２のＳ４）。
【００４０】
例えば、履歴情報リストに、順にＵＲＬ１、ＵＲＬ２、ＵＲＬ３、ＵＲＬ４のように４つのＵＲＬが記述されていたとすると、図２のステップＳ４の登録処理により、ブラウザ装置２１０の履歴情報管理部２１１内の表示履歴リストのフォワード方向の履歴として、ＵＲＬ１、ＵＲＬ２、ＵＲＬ３、ＵＲＬ４の順にＵＲＬが登録されたことになる。
【００４１】
以上の処理が終わった後、ユーザがブラウザ装置２１０の履歴移動部２１２の履歴フォワード方向移動機能を一回使用すると、ブラウザ装置２１０の履歴移動部２１２は、ブラウザ装置２１０の履歴情報管理部２１１内の表示履歴リストのフォワード方向の先頭の履歴、先の例ではＵＲＬ１をクライアント端末２００上に表示させる。この後次々に履歴フォワード方向移動機能を使用することにより、順にＵＲＬ２、ＵＲＬ３、ＵＲＬ４のコンテンツを表示させることができる。
【００４２】
また、この時、ユーザがブラウザ装置２１０の履歴移動部２１２の履歴バック方向移動機能を使用すれば、ＵＲＬ３、ＵＲＬ２、・・・、等のコンテンツを再表示させることができる。
【００４３】
このように本実施形態により、履歴情報リストを受信した後は、履歴フォワード方向移動機能を次々に使用していくだけで、履歴情報リストに記述された順序で指定のＵＲＬに対応したコンテンツを表示させていくことができる。
【００４４】
次に、上述の動作を具体例で説明する。
【００４５】
例えば天気予報コンテンツで、トップページが「地名選択」ページで、「東京」、「神奈川」といった地名を選択するページになっており、それぞれの地名にハイパーリンクが設定されており、そのリンク先で各地の天気予報が閲覧できるものとする。
【００４６】
従来のブラウザ装置であれば、「東京」と「神奈川」の天気を順に見るためには、「地名選択」ページ表示→「東京」のハイパーリンク選択により「東京」ページ表示→「地名選択」ページに戻る→「神奈川」のハイパーリンク選択により「神奈川」ページ表示、という順で操作を行う必要がある。
【００４７】
しかし本発明を利用すると、トップページである「地名選択」送信時に同時に履歴情報リストとして「東京」「神奈川」ページのＵＲＬが記述されたリストを送信することにより、「地名選択」ページ表示→履歴フォワード方向移動機能の操作により「東京」ページ表示→履歴フォワード方向移動機能の操作により「神奈川」ページ表示、という手順で操作を行えばよく、ユーザがクライアント端末２００を操作する回数を削減することが可能となる。
【００４８】
次に、図３を参照して、本発明の第２の実施形態について説明する。
【００４９】
図３は、本発明の情報表示システムの第２の実施形態を示すブロック図である。図３に示す第２の実施形態は、図１に示した第１の実施形態と比較すると、コンテンツサーバ１００からの履歴情報リストの配信の方式、及び、クライアント端末２００における前記履歴情報リストの受信の方式、の２点でのみ異なっているものである。従って、図３において図１に示す構成要素に対応するものは同一の参照数字または符号を付し、その説明を省略するものとする。
【００５０】
すなわち、図３に示す第２の実施形態は、コンテンツと共に履歴情報リストを配信可能な複数のコンテンツサーバ１００（１００−１〜１００−ｎ）と、コンテンツサーバ１００からコンテンツを取得して表示すると共に、コンテンツサーバ１００から配信される履歴情報リストを抽出する履歴情報抽出部２４０を備える複数のクライアント端末２００と、から構成されている。
【００５１】
ここで、コンテンツサーバ１００は、コンテンツの選択可能要素部分に履歴情報リストを関連付けて記述する。選択可能要素とは、例えばハイパーリンクのように、ブラウザでコンテンツを表示した際にユーザ操作によりその個所のみ選択可能となるような、テキストやイメージなどで構成される要素の事である。
【００５２】
コンテンツの選択可能要素部分に履歴情報リストを関連付けて、ＨＴＭＬ形式で記述する際の一例として、ハイパーリンクを指定するためのタグであるアンカタグを使用して、次のように記述することが可能である。すなわち、
＜Ａ  ｈｒｅｆ＝”ｎｅｘｔｕｒｌ”  ｈｉｓｔｏｒｙｌｉｓｔ＝”ＵＲＬ１，  ＵＲＬ２，  ＵＲＬ３，  ＵＲＬ４”＞
と記述する。ここで、「ｈｒｅｆ」という属性で指定された「ｎｅｘｔｕｒｌ」が、このハイパーリンクが選択された場合に表示するコンテンツの指定であり、これは通常のＨＴＭＬの記述である。一方「ｈｉｓｔｏｒｙｌｉｓｔ  」という属性で指定された「ＵＲＬ１，  ＵＲＬ２，  ＵＲＬ３，  ＵＲＬ４」が履歴情報リストとなり、この部分は本発明における独自拡張部分となる。
【００５３】
上述したような形式で、コンテンツサーバ１００は、コンテンツ中の選択可能要素部分に、それぞれに対応した履歴情報リストを記述したコンテンツを作成しておく。なお、選択可能要素は、ユーザ操作によりその個所のみ選択可能となるようなテキストやイメージなどで構成される要素の事であるために、選択可能要素にフォーカスを設定可能である、と称される場合がある。
【００５４】
上述した構成の元で、クライアント端末２００がコンテンツサーバ１００からコンテンツを取得して表示させる場合の動作について説明する。
【００５５】
クライアント端末２００は、ブラウザ装置２１０によりコンテンツサーバ１００からコンテンツを取得してクライアント端末２００上に表示する。そして、この表示したコンテンツの中から、ユーザ操作によりあるハイパーリンク個所が選択されると、ブラウザ装置２１０はリンク先のコンテンツを取得して、コンテンツ表示部２１３を使用してクライアント端末２００の画面上に表示する。
【００５６】
同時に、履歴情報抽出部２４０はハイパーリンク記述内の履歴情報リストの部分を読み込み、以降は第１の実施形態と同様に、履歴情報追加部２３０を使用して、ブラウザ装置２１０の履歴情報管理部２１１の表示履歴リストのフォワード方向に、読み込んだ履歴情報リストのＵＲＬを追加していく。
【００５７】
これにより、第１の実施形態と同様に、ユーザの履歴フォワード方向移動機能を用いた履歴移動操作のみで、履歴情報リストに指定された順にコンテンツの閲覧を行うことが可能となる。
【００５８】
次に、図４を参照して、本発明の第３の実施形態について説明する。
【００５９】
図４は、本発明の情報表示システムの第３の実施形態を示すブロック図である。図４に示す第３の実施形態は、図１、図３に示した第１、第２の実施形態によって、クライアント端末２００が履歴情報リストを読み込んだ状態にあるときに、クライアント端末２００のユーザが保存操作を指定することにより、複数の履歴情報リストを蓄積・保存することが可能な履歴情報リスト記憶装置２５０に、前記読み込んだ履歴情報リストを保存するものである。従って、図４において図１、図３に示す構成要素に対応するものは同一の参照数字または符号を付し、その説明を省略するものとする。なお、図４においては、クライアント端末２００は履歴情報取得部２２０（図１）及び履歴情報抽出部２４０（図３）を備えているが、これらの図示はあえて省略しているものである。
【００６０】
次に、図４に示す第３の実施形態の動作について説明する。
【００６１】
先ず、クライアント端末２００は、第１の実施形態の履歴情報取得部２２０がコンテンツサーバ１００から送信された（コンテンツの在り処を示すＵＲＬが複数個記述された）履歴情報リストを取得した状態にあるか、或いは、第２の実施形態の履歴情報抽出部２４０がコンテンツサーバ１００から送信された（ハイパーリンク記述内の）履歴情報リストを読み込んだ状態にあるものとする。
【００６２】
ここで、クライアント端末２００のユーザが、クライアント端末２００上で保存操作を指定することにより、前記の履歴情報リストをクライアント端末２００の履歴情報リスト記憶装置２５０に保存する。履歴情報リスト記憶装置２５０には、複数の履歴情報リストを保存することが可能である。
【００６３】
そして、この履歴情報リスト記憶装置２５０に保存された履歴情報リストを読み出して、履歴情報追加部２３０を使用して読み出した履歴情報リストに記述されている順にＵＲＬを、ブラウザ装置２１０の履歴情報管理部２１１の表示履歴リストのフォワード方向に追加して登録していく。この事により、第１の実施形態と同様に、ユーザがブラウザ装置２１０の履歴移動部２１２の履歴フォワード方向移動機能を使用した履歴移動操作のみで、履歴情報リストに記述された順にコンテンツの閲覧を行うことが可能となる。
【００６４】
次に、図５を参照して、本発明の第４の実施形態について説明する。
【００６５】
図５は、本発明の情報表示システムの第４の実施形態を示すブロック図である。図５に示す第４の実施形態は、図４に示した第３の実施形態におけるクライアント端末２００が、ブラウザ装置２１０の履歴情報管理部２１１内の表示履歴リストを読み出す履歴情報読み出し部２６０と、履歴情報読み出し部２６０が読み出した表示履歴リストから履歴情報リストを生成する履歴情報リスト生成部２７０とを、更に備えるものである。従って、図５において図４に示す構成要素に対応するものは同一の参照数字または符号を付し、その説明を省略するものとする。なお、図５においては、クライアント端末２００は履歴情報取得部２２０（図１）及び履歴情報抽出部２４０（図３）を備えているが、これらの図示はあえて省略しているものである。
【００６６】
次に、図５に示す第４の実施形態の動作について説明する。
【００６７】
クライアント端末２００のユーザが、ブラウザ装置２１０を使用して順次複数個のコンテンツをコンテンツサーバ１００から取得して閲覧を行っていくと、ブラウザ装置２１０の履歴情報管理部２１１内の表示履歴リストには、閲覧したコンテンツのＵＲＬの履歴が、閲覧した順序で記憶され履歴情報として蓄積される。この時、ユーザがクライアント端末２００にて履歴情報保存操作を指定することにより、履歴情報読み出し部２６０は、ブラウザ装置２１０の履歴情報管理部２１１内の表示履歴リストを履歴情報として取得する。
【００６８】
次に、履歴情報リスト生成部２７０は、得られた履歴情報から履歴情報リストを生成する。例えば、クライアント端末２００のユーザが、ＵＲＬ１、ＵＲＬ２、ＵＲＬ３というＵＲＬをそれぞれ持つ３つのコンテンツを順次閲覧していった場合、表示履歴リストの履歴情報としては、ＵＲＬ１、ＵＲＬ２、ＵＲＬ３の順に履歴が記憶されているが、これをもとに、ＵＲＬ１、ＵＲＬ２、ＵＲＬ３の順序で構成された履歴情報リストを生成する。
【００６９】
この履歴情報リストを、履歴情報リスト記憶装置２５０に保存する。以降は、第３の実施形態と同様に、履歴情報リスト記憶装置２５０に記憶された履歴情報リストを読み出し、履歴情報追加部２３０を使用して読み出した履歴情報リストに記述されている順にＵＲＬを、ブラウザ装置２１０の履歴情報管理部２１１の表示履歴リストのフォワード方向に追加して登録していく。この事により、第３の実施形態と同様に、ユーザがブラウザ装置２１０の履歴移動部２１２の履歴フォワード方向移動機能を使用した履歴移動操作のみで、履歴情報リストに記述された順にコンテンツの閲覧を行うことが可能となる。
【００７０】
【発明の効果】
以上説明したように、本発明の情報表示システム及び情報表示装置並びにそのプログラムは、コンテンツサーバからコンテンツと同時に配信された、もしくはコンテンツ中に含まれた履歴情報リスト中の複数のＵＲＬを、ブラウザの表示履歴リストの履歴のフォワード方向に順に追加することにより、ブラウザのフォワード方向あるいはバック方向の履歴移動操作だけで、履歴情報リストで指定した順にコンテンツの閲覧を行うことができるので、簡略な操作手順によってコンテンツを閲覧することが可能となり、クライアント端末上でのコンテンツの逐次閲覧時のユーザ操作の煩雑さを解消できる、という効果を有している。
【図面の簡単な説明】
【図１】本発明の情報表示システムの一実施形態を示すブロック図である。
【図２】図１の実施形態の動作を説明するフローチャートである。
【図３】本発明の情報表示システムの第２の実施形態を示すブロック図である。
【図４】本発明の情報表示システムの第３の実施形態を示すブロック図である。
【図５】本発明の情報表示システムの第４の実施形態を示すブロック図である。
【符号の説明】
１００    コンテンツサーバ
２００    クライアント端末
２１０    ブラウザ装置
２１１    履歴情報管理部
２１２    履歴移動部
２１３    コンテンツ表示部
２２０    履歴情報取得部
２３０    履歴情報追加部
２４０    履歴情報抽出部
２５０    履歴情報リスト記憶装置
２６０    履歴情報読み出し部
２７０    履歴情報リスト生成部
３００    通信ネットワーク
【図１】
2004280354.tif 000003
【図２】
2004280354.tif 000004
【図３】
2004280354.tif 000005
【図４】
2004280354.tif 000006
【図５】
2004280354.tif 000007